(57)【要約】【課題】スピーカセットにグランド線を取り付ける際に、組み立て時の作業性を向上させつつ、ノイズに対して耐性を高める。【解決手段】音響装置は、ボイスコイルと磁石とを用いて発生させた磁界を用いて音声を出力するためのスピーカ本体と、スピーカ本体を固定するための金属製のメインフレームと、スピーカ本体に音声信号を供給するスピーカケーブルと、スピーカケーブルとボイスコイルとを接続させるための中継地として作用する端子板と、グランド端子に接続されたグランド線とを有し、１本の軸状部材をグランド線、端子板、及びメインフレームに貫通させて、グランド線及び前記端子板を前記メインフレームに固定する。【選択図】図５
2009302728.tif 000002
【特許請求の範囲】
【請求項１】
音声を出力するための音響装置であって、
ボイスコイルと磁石とを用いて発生させた磁界を用いて音声を出力するためのスピーカ本体と、
前記スピーカ本体を固定するための金属製のメインフレームと、
前記スピーカ本体に音声信号を供給するスピーカケーブルと、
前記スピーカケーブルと前記ボイスコイルとを接続させるための中継地として作用する端子板と、
グランド端子に接続されたグランド線とを有し、
１本の軸状部材を前記グランド線、前記端子板、及びメインフレームに貫通させて、前記グランド線及び前記端子板を前記メインフレームに固定したことを特徴とする音響装置。
【請求項２】
前記軸状部材は、カシメピンであって、同カシメピンをカシメ加工して、前記グランド線及び前記端子板を前記メインフレームに固定することを特徴とする請求項１に記載の音響装置。
【請求項３】
前記磁石は、防磁キャップにより覆われていることを特徴とする請求項１又は請求項２のいずれかに記載の音響装置。
【請求項４】
前記グランド線は、前記防磁キャップに接続されていることを特徴とする請求項３に記載の音響装置。
【請求項５】
前記スピーカケーブルと、前記グランド線とは、互いにツイストされてより線を形成していることを特徴とする請求項１〜請求項４のいずれか一項に記載の音響装置。
【請求項６】
前記軸状部材は、カシメピンであって、同カシメピンをカシメ加工して、前記グランド線及び前記端子板を前記メインフレームに固定し、
前記スピーカ本体は、防磁キャップにより覆われており、
前記グランド線は、前記防磁キャップに接続され、
前記スピーカケーブルと、前記グランド線とは、互いにツイストされてより線を形成していることを特徴とする請求項１に記載の音響装置。
【発明の詳細な説明】
【技術分野】
【０００１】
本発明は、音響装置に関し、特に、ノイズに対して耐性の高い音響装置に関するものである。
【背景技術】
【０００２】
従来、音声を出力するためのスピーカセットを備えた製品が知られている。スピーカセットは、アンプ等の増幅装置から信号電流が供給されることで、その内部に磁界を発生させ、この磁界により音声板を振動させて音声を出力する（例えば、特許文献１、特許文献２、参照）。また、スピーカセットを製品内部に固定するために、従来では金属製のフレームをスピーカ本体と筺体との間に介在させてスピーカセットを筺体等に固定していた。
【０００３】
しかし、スピーカを固定するためのフレームが金属製であるため、フレームがノイズを受信してしまう場合がある。そのため、従来では、グランド（アース）端子を設けて輻射ノイズの影響を低減させていた（例えば、特許文献３、特許文献４、参照）。
【０００４】
また、スピーカと直接の関係はないが、ノイズの影響を低減するための通信ケーブルが開示されている（例えば、特許文献５、参照）。
【特許文献１】特開平３−１３１００号公報
【特許文献２】実開昭６２−５８９９７号公報
【特許文献３】特開２００５−２２９５５１号公報
【特許文献４】特開２００１−４５５９４号公報
【特許文献５】実開昭６１−９３９３７号公報
【発明の開示】
【発明が解決しようとする課題】
【０００５】
スピーカセットセットにグランド線を取り付ける場合、配線の取り回しや、組み立て時の作業性が悪い場合があった。また、端に作業性のみを向上させるよう工夫しても、ノイズに対して耐性を高めることができない場合があった。
【０００６】
本発明は、上記課題にかんがみてなされたもので、スピーカセットにグランド線を取り付ける際に、組み立て時の作業性を向上させつつ、ノイズに対して耐性を高めることができる音響装置の提供を目的とする。
【課題を解決するための手段】
【０００７】
上記課題を解決するために、本発明の一局面では、音声を出力するための音響装置であって、ボイスコイルと磁石とを用いて発生させた磁界を用いて音声を出力するためのスピーカ本体と、前記スピーカ本体を固定するための金属製のメインフレームと、前記スピーカ本体に音声信号を供給するスピーカケーブルと、前記スピーカケーブルと前記ボイスコイルとを接続させるための中継地として作用する端子板と、グランド端子に接続されたグランド線とを有し、１本の軸状部材を前記グランド線、前記端子板、及び前記メインフレームに挿通させて、前記グランド線及び前記端子板を前記メインフレームに固定した構成としてある。
【０００８】
上記のように構成された発明では、音響装置は、スピーカ本体と、メインフレームと、スピーカケーブルと、端子板と、グランド線とを有している。また、音響装置は、１本の軸状部材をグランド線、及び端子板に挿通させた状態で、同軸状部材をメインフレームに挿通させて、グランド線及び端子板をメインフレームに固定する。
そのため、グランド線及びスピーカケーブルを中継する端子板を１本の軸状部材を用いてメインフレームに固定することができるため、組み立て時の作業性を向上させることができる。更に、メインフレームが受信したノイズの影響をこのメインフレームに接続されたグランド線により低減させることが可能となる。
【０００９】
好ましくは、前記軸状部材は、カシメピンであって、同カシメピンをカシメ加工して、前記グランド線及び前記端子板を前記メインフレームに固定する。
上記のように構成された発明では、カシメ加工によりグランド線と端子板とをメインフレームに固定するため、ねじ部品を用いて固定した場合に比べてより組み立て易くすることができる。
【００１０】
好ましくは、前記磁石は、防磁キャップにより覆われている。
上記のように構成された発明では、磁石を防磁キャップで覆うため、スピーカー本体の内外から輻射されるノイズを低減させることができる。
【００１１】
好ましくは、前記グランド線は、前記防磁キャップに接続されている。
上記のように構成された発明では、グランド線を防磁キャップに接続することで、スピーカー本体から輻射されるノイズを低減させることができる。
【００１２】
好ましくは、前記スピーカケーブルと、前記グランド線とは、互いにツイストされてより線を形成している。
上記のように構成された発明では、スピーカケーブルとグランド線とでより線を構成することで、スピーカケーブルに対するノイズの影響を低減させることができる。
【００１３】
本発明の他の局面として、前記軸状部材は、カシメピンであって、同カシメピンをカシメ加工して、前記グランド線及び前記端子板を前記メインフレームに固定し、前記スピーカ本体は、防磁キャップにより覆われており、前記グランド線は、前記防磁キャップに接続され、前記スピーカケーブルと、前記グランド線とは、互いにツイストされてより線を形成している。
【発明の効果】
【００１４】
以上説明したように本発明によれば、スピーカセットにグランド線を取り付ける際に、組み立て時の作業性を向上させつつ、ノイズに対して耐性を高めることができる。
【発明を実施するための最良の形態】
【００１５】
以下、図を参照しつつ下記の順序に従って本発明の実施形態を説明する。なお、同一の符号を付した箇所は同一又は同等の箇所を示し、その説明は繰返さない。
１．第１の実施形態：
（１）音響装置１００の構成：
（２）端子板及びグランド線の取り付け方法：
（３）本発明の作用及び効果：
２．第２の実施形態：
【００１６】
１．第１の実施形態：
（１）音響装置１００の構成：
図１は、音響装置１００に固定されたスピーカセット８０を説明する斜視図である。スピーカセット８０は、音響装置１００の筺体１１０内部に、メインフレーム６０を介して固定されている。具体的には、スピーカセット８０は、メインフレーム６０の縁部を挿通したねじ部品を筺体１１０の雌ねじ部にねじ止めして、筺体１１０内に固定される。更に、スピーカセット８０は、スピーカケーブルを用いて基板（図示しない）と接続されており、基板から送信された音声信号を音声に変換して外部に出力する。
【００１７】
図２は、本発明に係る音響装置１００を説明するためのブロック図である。同図より、音響装置１００は、音声データを取得する機能を備える音声データ取得部９１と、取得した音声データを加工及び増幅する機能を備える音声制御部９２と、スピーカセット８０とを備えている。
音響装置１００の概略的な作用は以下の通りである。音声データ取得部９１を通じて音声データが音響装置１００に入力されると、音声制御部９２は、音声データのレベルを増幅し、スピーカケーブル５０を通じてスピーカセット８０に音声信号を出力する。スピーカセット８０は、音声信号に基づいてその内部で磁界を発生させ、音声板を振動させて音声を出力する。
【００１８】
図３は、本発明に係るスピーカセットを前面側から見た場合の斜視図である。また、図４は、本発明に係るスピーカセットを背面側から見た場合の斜視図である。スピーカセット８０は、音声を出力する機能を備えるスピーカ本体７０と、スピーカ本体７０を音響装置１００の筺体１１０内部に固定するための機能を備えるメインフレーム６０と、音声制御部９２が増幅した音声信号をスピーカ本体７０に供給する機能を備えるスピーカケーブル５０と、スピーカケーブル５０をスピーカ本体７０に中継する端子板４０とを備えている。
【００１９】
スピーカ本体７０は、音声を出力するための機能を備えている。スピーカ本体７０は、コーン紙で形成された音声板を備える振動部７１と、振動部７１の背面側に配置されて磁界を発生させる機能を備えるボイスコイル７５、及びマグネット７２とを備えている。また、ボイスコイル７５は、端子板４０を介して中継されたスピーカケーブル５０と接続している。そのため、ボイスコイル７５がスピーカケーブル５０を通じて音声信号を受信すると、マグネット７２と一体となって振動部７１を振動させるための磁界を発生させる。この磁界により振動部７１は振動し、音声を出力する。
【００２０】
メインフレーム６０は、スピーカ本体７０を固定するための機能を備えている。メインフレーム６０は、振動部７１を収容可能な凹部６１を備えている。そのため、凹部６１の開口（メインフレームの前面側に形成）より振動部７１を背面側から挿入して固定することで、スピーカ本体７０はメインフレーム６０に取り付けられる。また、メインフレーム６０の両端には、筺体１１０にスピーカセットを固定する際、ねじ部品のねじ部が挿通する貫通穴６２が形成されている。更に、メインフレーム６０には、カシメピン（後述）の軸部が挿通可能な径を備えた貫通穴（後述）が形成されている。なお、本実施の形態では、振動部７１の背面に配置されたマグネット７２は、凹部６１の底面越しに振動部７１の背面側に取り付けられている。
【００２１】
端子板４０は、スピーカケーブル５０をボイスコイル７５に接続させるための中継地として作用する他、メインフレーム６０に接続されたグランド線を固定する機能を備えている。端子板４０には、スピーカケーブル５０の正極側配線５１及び負極側配線５２と、ボイスコイル７５から導出された配線７５ａとがそれぞれ半田付けして接続されており、スピーカケーブル５０を通じて入力された音声信号を、ボイスコイル７５に供給する。また、端子板４０における、正極側配線５１と負極側配線５２とが半田付けされた部位の間には、カシメピン２０の軸部が挿通可能な径を備えた貫通穴（後述）が形成されている。グランド線３０は、この貫通穴を挿通させたカシメピンを用いて端子板４０とメインフレーム６０との間に固定される。
【００２２】
（２）端子板及びグランド線の取り付け方法：
図５は、端子板及びグランド線をメインフレームに固定する方法を説明する展開図である。ここで、グランド線３０の端部には、端子３１が接続されており、この端子３１には、カシメピン２０の軸部が挿通可能な径を備えた貫通穴３２が形成されているものとする。
まず、カシメピン２０の軸部を端子板４０の貫通穴４１及びグランド線３０の端子３１の貫通穴３２に挿入する。次に、端子板４０及び端子３１を挿通させたカシメピン２０を、メインフレーム６０の貫通穴６２に挿入する。この状態で、メインフレーム６０を挿通したカシメピン２０の先端をカシメ加工する。これにより、端子板４０はメインフレーム６０に固定されるとともに、グランド線３０は、端子板４０とメインフレーム６０との間に固定される。
なお、好ましくは、カシメ加工を行なう際、スピーカ本体７０は、メインフレーム６０に取り付けられていないことが望ましい。
【００２３】
（３）本発明の作用及び効果：
図６は、本発明の作用を説明するための模式図である。なお、この図では、端子板４０により固定されたスピーカケーブル５０とグランド線３０とは、互いにツイストさせてより線を形成するとともに、形成されたより線の先端にコネクタ８１を取り付けている。また、音声制御部９２には、コネクタ８１と嵌合可能なコネクタ８２を備えている。そのため、スピーカセット８０から導出されたスピーカケーブル５０（５１，５２）及びグランド線３０は、このコネクタ８１，８２を用いて、音声制御部９２と着脱可能に接続される。
【００２４】
スピーカセット８０に対してノイズが輻射されると、メインフレーム６０からグランド線３０を通じてノイズがコネクタ８１まで送信される。ここで、コネクタ８１は音声制御部９２のコネクタ８２に接続されており、コネクタ８１のグランド線３０が接続されている端子と接するコネクタ８２の端子は、グランド端子８３に接続されている。従って、グランド線３０を通じて出力されたノイズは、コネクタ８２を通じてグランド端子８３に放出される。そのため、基板に対するノイズの影響が低減される。また、スピーカケーブル５０と、グランド線３０とをツイストさせれば、音声制御部９２から送信される音声信号に対してグランド線がシールドして作用するため、音声信号を安定的にスピーカセットに供給することが可能となる。
【００２５】
２．第２の実施形態：
図７は、第２の実施形態におけるスピーカセットを背面側から見た斜視図である。第２の実施形態におけるスピーカセット８０は、マグネット７２が防磁キャップ７３により覆われている。また、防磁キャップ７３と端子板４０との間は導通片７４が介在するよう接続され、防磁キャップ７３が受信したノイズをグランド線３０を通じてグランド端子に放出することができる。マグネット７２を防磁キャップ７３で覆うことで、スピーカー本体の内外から輻射されるノイズを低減させることができる。
【００２６】
端子板４０は、スピーカケーブル５０とグランド線３０とを接続するための３つの端子（スピーカケーブル用端子４２、４３、グランド線用端子４４）を備えて構成されている。そのため、端子板４０は、スピーカケーブル用端子４２，４３を用いてスピーカケーブル５０に接続され、グランド線用端子４４を用いてグランド線３０に接続される。また、カシメピン２０を、端子板４０、導通片７４、メインフレーム６０の順番で、各部位に形成された貫通穴を挿通させた状態で、同カシメピン２０の先端をカシメ加工することで、端子板４０及び導通片７４をメインフレーム６０に固定することができる。
【００２７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００２８】
【図１】音響装置１００に固定されたスピーカセット８０を説明する斜視図である。
【図２】本発明に係る音響装置１００を説明するためのブロック図である。
【図３】本発明に係るスピーカセットを前面側から見た場合の斜視図である。
【図４】本発明に係るスピーカセットを背面側から見た場合の斜視図である。
【図５】端子板及びグランド線をメインフレームに固定する方法を説明する展開図である。
【図６】本発明の作用を説明するための模式図である。
【図７】第２の実施形態におけるスピーカセットを背面側から見た斜視図である。
【符号の説明】
【００２９】
２０…カシメピン、３０…グランド線、３１…端子、３２…貫通穴、４０…端子板、４１…貫通穴、４２，４３…スピーカケーブル用端子、４４…グランド線用端子、５０…スピーカケーブル、５１…正極側配線、５２…負極側配線、６０…メインフレーム、６１…凹部、６２…貫通穴、７０…スピーカ本体、７１…振動部、７２…マグネット、７３…防磁キャップ、７４…導通片、７５…ボイスコイル、８０…スピーカセット、８１、８２…コネクタ、８３…グランド端子、９１…音声データ取得部、９２…音声制御部、１００…音響装置、１１０…筺体
【図１】
2009302728.tif 000003
【図２】
2009302728.tif 000004
【図３】
2009302728.tif 000005
【図４】
2009302728.tif 000006
【図５】
2009302728.tif 000007
【図６】
2009302728.tif 000008
【図７】
2009302728.tif 000009